(57)【要約】【課題】内部にクッション材を採用しても、表面に波打ち等の不具合が発生することを防止する。【解決手段】内側層５と外側層４の間に、台紙層６，７とクッション層８とを有するケース部材２を備える。クッション層８は、表裏面が平坦に形成されている。クッション層８と台紙層６，７及び外側層４との間であって、周辺領域２１と、内側領域２２の少なくとも一部とに接着層１９を形成する。【選択図】図５
2017174993.tif 000002
【特許請求の範囲】
【請求項１】
内側層と外側層との間に、台紙層とクッション層とを有するケース部材を備え、
前記クッション層は、表裏面が平坦に形成され、
前記クッション層と前記台紙層及び前記外側層との間であって、周辺領域と、内側領域の少なくとも一部とに、接着層を形成したことを特徴とする電子機器用ケース。
【請求項２】
前記接着層は、前記クッション層と前記台紙層及び前記外側層との間の全領域に形成したことを特徴とする請求項１に記載の電子機器用ケース。
【請求項３】
前記クッション層は、ナチュラルラバー、ポリエチレン又はＥＶＡ樹脂からなることを特徴とする請求項１又は２に記載の電子機器用ケース。
【請求項４】
内側層と外側層との間に、台紙層とクッション層と配置し、前記内側層の外表面に電子機器を保持する保持部を設けてケース部材を形成する工程を備えた電子機器用ケースの製造方法であって、
前記クッション層と前記台紙層との間であって、周辺領域と、内側領域の少なくとも一部とに、接着層を形成する工程を備えたことを特徴とする電子機器用ケースの製造方法。
【請求項５】
前記工程は、前記クッション層と前記台紙層及び前記外側層との間の全領域に接着剤を噴霧することにより行うことを特徴とする請求項４に記載の電子機器用ケースの製造方法。
【発明の詳細な説明】
【技術分野】
【０００１】
本発明は、電子機器用ケース、特に携帯電話に適した電子機器用ケース及びその製造方法に関するものである。
【背景技術】
【０００２】
従来、携帯電話カバーとして、表基材と裏基材の間に、導電性遮蔽部材を貼り合わせてなる本体を備えたものが公知である（例えば、特許文献１参照）。
【０００３】
ところで、携帯電話カバーでは、内部にクッション材を採用することにより、耐衝撃性を高め、持ったときの感触を向上させるようにしたものがある。一般に、クッション材には軽量で安価なスポンジが使用されている。そして、スポンジと、カバーや内部に収容するボール紙とは接着剤により固定している。
【先行技術文献】
【特許文献】
【０００４】
【特許文献１】特開２０１５−２０１６０１号公報
【発明の概要】
【発明が解決しようとする課題】
【０００５】
しかしながら、スポンジは多孔質であるため、その全面に接着剤を塗布しても内部に吸収されてしまうため、塗布範囲を周辺部のみとしていた。このため、携帯電話カバーの中央部分が波打つ等の不具合を生じさせることがあった。
【０００６】
本発明者らは、このような波打ち等の不具合を発生させる原因が湿度の影響によるものであることを突き止め、たとえ内部に水分が入り込んだとしても、波打ち等の不具合を発生させることがないような構成を鋭意検討した。
【０００７】
そこで、本発明は、内部にクッション材を採用しても、表面に波打ち等の不具合を発生させることのない電子機器用ケース及びその製造方法を提供することを課題とする。
【課題を解決するための手段】
【０００８】
本発明は、前記課題を解決するための手段として、
内側層と外側層との間に、台紙層とクッション層とを有し、前記内側層の外表面に電子機器を保持する保持部を設けたケース本体を備え、
前記クッション層は、表裏面が平坦に形成され、
前記クッション層と前記台紙層及び前記外側層との間であって、周辺領域と、内側領域の少なくとも一部とに、接着層を形成したことを特徴とする電子機器用ケースを提供する。
【０００９】
この構成により、すなわち表裏面を平坦に形成したクッション層により、接着層をクッション層の周辺部のみならず、その内側領域にも形成することができる。この結果、クッション層と台紙層の間、及び、クッション層と外側層との間の接着状態を良好なものとして、中央部分が波打つ等の不具合が発生するのを防止することができる。
【００１０】
前記接着層は、前記クッション層と前記台紙層及び前記外側層との間の全領域に形成するのが好ましい。
【００１１】
この構成により、確実に中央部分での波打ち現象を防止することができる。
【００１２】
前記クッション層は、ナチュラルラバー、ポリエチレン又はＥＶＡ（Ethylene Vinyl Acetate Copolymer）樹脂で構成すればよい。
【００１３】
また本発明は、前記課題を解決するための手段として、
内側層と外側層との間に、台紙層とクッション層と配置し、前記内側層の外表面に電子機器を保持する保持部を設けてケース本体を形成する工程を備えた電子機器用ケースの製造方法であって、
前記クッション層と前記台紙層との間であって、周辺領域と、内側領域の少なくとも一部とに、接着層を形成する工程を備えたことを特徴とする電子機器用ケースの製造方法を提供する。
【００１４】
前記工程は、前記クッション層と前記台紙層及び前記外側層との間の全領域に接着剤を噴霧することにより行うのが好ましい。
【発明の効果】
【００１５】
本発明によれば、クッション層の表裏面を平坦としたので、クッション層と台紙層及び外側層との間であって、周辺領域と、内側領域の少なくとも一部とに接着層を形成することができ、表面の波打ち現象等の不具合の発生を防止することができる。
【図面の簡単な説明】
【００１６】
【図１】本実施形態に係る携帯電話用ケースの折り畳んだ状態を示す斜視図である。
【図２】図１の携帯電話用ケースを広げた状態を示す平面図である。
【図３】図２の携帯電話用ケースの分解斜視図である。
【図４】図２の携帯電話用ケースの第１ボール紙とクッション材とを接着した状態を示す斜視図である。
【図５】図４からさらに外側シートを接着した状態を示す斜視図である。
【図６】図２のカバー部の部分断面図である。
【図７】他の実施形態に係る接着位置の例を示す平面図である。
【図８】他の実施形態に係る接着位置の例を示す平面図である。
【図９】他の実施形態に係る接着位置の例を示す平面図である。
【図１０】他の実施形態に係る接着位置の例を示す平面図である。
【図１１】他の実施形態に係る接着位置の例を示す平面図である。
【図１２】他の実施形態に係る接着位置の例を示す平面図である。
【図１３】他の実施形態に係る接着位置の例を示す平面図である。
【発明を実施するための形態】
【００１７】
以下、本発明に係る実施形態を添付図面に従って説明する。なお、以下の説明では、必要に応じて特定の方向や位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１８】
図１及び図２は、電子機器用ケースの一例である、本実施形態に係る携帯電話用ケースを示す。この携帯電話用ケースは、ケース本体１と、カバー部２とからなり、ケース本体１とカバー部２とは一方の側部が接続部３を介して繋がっている。
【００１９】
図３に示すように、ケース本体１、接続部３及びカバー部２は、一方の面が外側層となる外面シート４で構成され、他方の面が内側層となる内面シート５で構成されている。ここでは、外面シート４及び内面シート５は共にポリウレタンで形成されている。また、外面シート４と内面シート５との間には、第１ボール紙６、第２ボール紙７及びクッション材８が配置されている。第１ボール紙６と第２ボール紙７は同一形状で、両側の第１矩形部６ａ，７ａと第２矩形部６ｂ，７ｂとが上下端部でそれぞれ連結されている。
【００２０】
ケース本体１は平面視矩形状で、外面シート４側の側縁中央部に、後述するベルト部１７に設けたスナップボタンの雄スナップ部１８が係脱される雌スナップ部（図示せず）が取り付けられている。またケース本体１には、内面シート５側の中央部に携帯電話を固定するための保持部９が設けられている。保持部９では表面のフィルムを剥がして接着面を露出させて携帯電話を貼り付けることができるようになっている。さらにケース本体１では、外面シート４と内面シート５との間に、台紙層を形成する第１ボール紙６の第１矩形部６ａ及び第２ボール紙７の第１矩形部７ａが配置されている。第１ボール紙６の第１矩形部６ａ及び第２ボール紙７の第１矩形部７ａはケース本体１よりも小さく、外面シート４及び内面シート５の縁部にそれぞれへり返し領域１０（図６中、２点鎖線のハッチングを施した部分参照）を形成する。
【００２１】
接続部３は、外面シート４と内面シート５とが重なっただけであるが、上下縁部及びケース本体１とカバー部２との境界部分とが、後述するように縫製されている。接続部３の上部には貫通孔が形成され、そこには金属製のリング１１が嵌められている。また接続部３の下端には、金属製のリング１２が取り付けられた延在部１３が設けられている。
【００２２】
カバー部２は平面視矩形状で、外面シート４と内面シート５の間に、外面シート４側から、クッション層を構成するクッション材８、台紙層を構成する第１ボール紙６の第２矩形部６ｂ、及び、第２ボール紙７の第２矩形部７ｂがこの順番で配置されている。ここでは、カバー部２が本発明に係るケース部材を構成している。クッション材８、第１ボール紙６の第２矩形部６ｂ、及び、第２ボール紙７の第２矩形部７ｂは、平面視矩形の同一形状であるが、カバー部２の側部をへり返しできるようにカバー部２よりも小さく形成されている。
【００２３】
クッション層を構成するクッション材８は、スポンジのように多孔質なものではなく、又表面に凹凸のない平坦な形状となっている。ここでは、クッション材８には、例えば、ナチュラルラバー、ポリエチレン、ポリウレタン等からなる弾性材料（高反発材料であるのが好ましい）からなるものが使用されている。また、ここで言う「多孔質なものではなく」とは、使用する接着剤によって空隙には侵入していかないという意味で使用している。したがって、粘性の高い接着剤であって、経時変化によっても空隙へと侵入していかないのであれば、多少の空隙が形成されたものであっても含む意である。また「平坦な形状」とは、同じく使用する接着剤によって表面に波打ち、反りあるいは歪等を発生させない程度の凹凸であれば含む意である。このように、前記構成のクッション材８によれば、表面に接着剤を塗布しても内部へと入り込むことがない。
【００２４】
カバー部２では、内面シート５の内表面にシート部材１４が接続部３側を開口できるように３辺を縫製されている。これにより、内面シート５とシート部材１４の間にカード等を挿入できるようになっている。シート部材１４は、２枚のシートを貼り合わせたもので、両者の間の上方部分に鏡１５が取り付けられ、内側のシートに形成した開口部から反射面が露出している。また、シート部材１４の表面下方側にはさらに２枚の補助シート１６が段違いで設けられている。各補助シート１６は、内面シート５とは上縁を残して３辺を縫製される。これにより、各補助シート１６には、上方開口部を介してカード等を挿入できるようになっている。また、カバー部２の側縁中央部にはベルト部１７が取り付けられている。ベルト部１７は、先端にスナップボタン（雄スナップ部１８）が設けられ、ケース本体１の雌スナップ部に係脱可能となっている。
【００２５】
クッション材８と第１ボール紙６の間、及び、クッション材８と外面シート４の間には、接着剤を塗布することにより接着層１９が形成されている。ここでは、クッション材８と第１ボール紙６の間、及び、クッション材８と外面シート４の間の全領域を接着層１９で構成している。また接着剤としては、例えば、アクリル系接着剤を使用することができるが、クッション層、台紙層、外側層あるいは内側層に使用する材質に応じて適切なものを使用すればよい。
【００２６】
なお、ケース本体１及びカバー部２の台紙層は、前述のように、第１ボール紙６及び第２ボール紙７で形成してもよいが、さらに１枚加えて３枚を貼り合わせたものを使用したり、２枚のボール紙６の間にポリプロピレンを貼り合わせたものを使用したり、あるいは、プロピレン等の樹脂製シートを使用したりすることもできる。樹脂製シートを使用すれば、ボール紙を使用する場合に比べて湿度に対する悪影響を受けにくくなり、より一層その後の使用による外表面での波打ちや反りあるいは歪等の不具合の発生を効果的に防止することができる。
【００２７】
次に、前記構成からなる携帯電話用ケースの製造方法について説明する。
まず、ケース本体１、接続部３及びカバー部２が連なった、同形の平面視矩形状となるように外面シート４と内面シート５とを形成する。また、第１ボール紙６及び第２ボール紙７を、ケース本体１となる領域よりもへり返し領域１０だけ内側に位置する第１矩形部６ａ，７ａと、カバー部２となる領域よりも同じくへり返し領域１０だけ内側に位置する第２矩形部６ｂ，７ｂとを、上下端部でそれぞれ連結した形状に形成する。さらに、クッション材８を、カバー部２となる領域よりもへり返し領域１０だけ内側に位置する形状に形成する。
【００２８】
続いて、第１ボール紙６の片面の第２矩形部６ｂにスプレーにより接着剤を塗布する。接着剤の塗布は第２矩形部６ｂの全領域とする。接着剤はスプレーにより塗布しているので、第２矩形部６ｂの表面の全領域に均等に薄く接着層１９を形成することができる。そこで、図４に示すように、形成された接着層１９にクッション材８を貼り付ける。クッション材８は第１ボール紙６の第２矩形部６ｂと同一形状であり、クッション材８の片面全体が貼着される。
【００２９】
また、第１ボール紙６の片面の全体、すなわち第２矩形部６ｂに貼り付けたクッション材８と、第１ボール紙６の残された（クッション材８が貼り付けられていない）領域とにスプレーにより接着剤を塗布し、外面シート４を貼り付けて図５に示す状態とする。そして、外面シート４の周辺部をクッション材８及び第１ボール紙６側へとへり返す。
【００３０】
また、第２ボール紙７の片面にスプレーにより接着剤を塗布し、内面シート５を貼り付ける。内面シート５も、前記外面シート４と同様にして、周辺部を第２ボール紙７側へとへり返す。
【００３１】
このようにして、外面シート４に第１ボール紙６及びクッション材８が貼り付けられ、内面シート５に第２ボール紙７が貼り付けられれば、両者の貼り合わせ面の全体にスプレーにより接着剤を塗布して一体化する。この状態で周辺部を縫製する。
【００３２】
その後、接続部３の上部に貫通孔を形成してリング１１を加締固定し、接続部３の下端にリング１２を有する延在部１３を取り付けることにより携帯電話用ケースが完成する。
【００３３】
以上のようにして完成した携帯電話用ケースでは、クッション材８には、表裏面が凹凸のない平坦面で形成された弾性材料を使用している。このため、従来のスポンジのように接着剤が内部の空隙へと入り込むことがない。したがって、クッション材８と第１ボール紙６の間、及び、クッション材８と外面シート４の間には、全領域に亘って接着剤を塗布することにより接着層１９を形成することができる。この結果、これら各部材の接着状態を良好なものとして、その後の使用で外表面に波打ちや反りあるいは歪等の不具合を発生させることがなくなる。また内部構成部品としてボール紙やナチュラルラバー等を使用することで簡単かつ安価に製作することができる。
【実施例】
【００３４】
以下の表１に示す比較例１及び２、実施例１から４の各携帯電話用ケースに対してヒートサイクルテストを実施し、表面の状態を観察した。テスト条件は、これら携帯電話用ケースを、湿度９０％、温度５０℃の実験用雰囲気中に一定時間（２４時間又は４８時間）放置し、大気中に取り出してさらに１時間経過した後、その表面状態を目視により観察した。表２に実験結果を示す。携帯電話用ケースの表面に反り、波打ち、歪等の不具合が発生していないものを○、発生しているものを×で表記した。なお、表１に記載していないその他の構成については、前記実施形態に係る携帯電話用ケースと同様な構成を採用した。
【００３５】
【表１】
2017174993.tif 000003
【００３６】
【表２】
2017174993.tif 000004
【００３７】
表２から明らかなように、クッション材８としてポリウレタンを使用し、全面接着することにより湿度や温度の影響如何に拘わらず、反りや歪みの発生を防止することができた。比較例１や２のように、スポンジを使用した場合、表面に反りが発生していた。
【００３８】
なお、本発明は、前記実施形態に記載された構成に限定されるものではなく、種々の変更が可能である。
【００３９】
前記実施形態では、クッション材８をカバー部２に内蔵するように構成したが、ケース本体１に内蔵することもできる。
【００４０】
前記実施形態では、携帯電話用ケースを２つ折りにするタイプとしたが、必ずしもそのような形態に限定されるものではない。要は、平坦状に形成された外表面を有し、電子機器が装着され電子機器用ケースであって、クッション層を内蔵するタイプであれば、どのようなものであっても採用することができる。
【００４１】
前記実施形態では、保持部９のフィルムを剥がして接着面を露出させることにより携帯電話を貼り付けて保持するようにしたが、携帯電話の周囲の少なくとも対向する２辺をガイドして保持するタイプ等、その保持構造については種々のものを採用することができる。
【００４２】
前記実施形態では、クッション材８とケース本体１の間、及び、クッション材８とボール紙６の第２矩形部６ｂの間を全領域に亘って接着するようにしたが、例えば、次のような接着範囲とすることができる。
【００４３】
図７から図１３は、ケース本体１側（カバー部２であってもよい）での接着領域２０の変形例を示し、周辺領域と、その内側領域の一部とに接着剤が塗布されている。図中、その接着領域２０をハッチングで示す。ここでは、接着領域２０の対象範囲の上下寸法が１６０ｍｍであり、左右寸法が８５ｍｍである。また、周辺接着領域２１は、周縁から内側への距離が約１０ｍｍの範囲としている。内側接着領域２２（非接着領域２３）について以下に詳述する。
【００４４】
図７では、左右方向の中央部に上下方向に延び、上部接着領域２１ａと下部接着領域２１ｂとを接続するように接着剤が塗布されて上下中央接着領域２２ａが形成されている。ここでは、上下中央接着領域２２ａとその両側にそれぞれ形成される非接着領域２３ａとが左右方向に均等に形成されるようにしている。なお、上下中央接着領域２２ａは上部接着領域２１ａと下部接着領域２１ｂとに対して直交するようにしたが、両領域２１ａ、２１ｂを接続するのであれば、左右方向のいずれかに傾斜する構成も含まれる。
【００４５】
図８では、上下方向に複数列で上部接着領域２１ａと下部接着領域２１ｂとを接続するように接着剤が塗布されて上下列接着領域２２ｂが形成されている。上下列接着領域２２ｂを形成する場合、図７に示す上下中央接着領域２２ａに比べて幅狭としても十分にその接着機能を発揮させることができる。ここでは、各上下列接着領域２２ｂの幅寸法を約３ｍｍとし、各上下列接着領域２２ｂに隣接して形成される非接着領域２３ｂの幅寸法を約１０．７ｍｍとしている。なお、上下列接着領域２２ｂも、前記上下中央接着領域２２ａと同様に上部接着領域２１ａと下部接着領域２１ｂとに対して直交するようにしたが、左右方向のいずれかに傾斜する構成も含まれる。この場合、両領域２１ａ、２１ｂを接続するものに限らず、上部接着領域２１ａと左部接着領域２１ｃ又は右部接着領域２１ｄ、下部接着領域２１ｂと左部接着領域２１ｃ又は右部接着領域２１ｄとを接続するようにしてもよい。
【００４６】
図９では、上下方向の中央部に左右方向に延び、左部接着領域２１ｃと右部接着領域２１ｄとを接続するように接着剤が塗布されて左右中央接着領域２２ｃが形成されている。ここでは、左右中央接着領域２２ｃとその上下にそれぞれ形成される非接着領域２３ｃとを上下方向に均等としている。なお、左右中央接着領域２２ｃは左部接着領域２１ｃと右部接着領域２１ｄとに対して直交するようにしたが、両領域２１ｃ、２１ｄを接続するのであれば、上下方向のいずれかに傾斜する構成も含まれる。
【００４７】
図１０では、左右方向に複数列で左部接着領域２１ｃと右部接着領域２１ｄとを接続するように接着剤が塗布されて左右列接着領域２２ｄが形成されている。左右列接着領域２２ｄを形成する場合、図９に示す左右中央接着領域２２ｃに比べて幅狭としても十分にその接着機能を発揮させることができる。ここでは、各左右列接着領域２２ｄの幅寸法を約３ｍｍとし、各左右列接着領域２２ｄに隣接して形成される非接着領域２３ｄの幅寸法を約９．６ｍｍとしている。なお、左右列接着領域２２ｄも、左右中央接着領域２２ｃと同様に左部接着領域２１ｃと右部接着領域２１ｄとに対して直交するようにしたが、上下方向のいずれかに傾斜する構成も含まれる。この場合、両領域２１ｃ、２１ｄを接続するものに限らず、左部接着領域２１ｃと上部接着領域２１ａ又は下部接着領域２１ｂ、右部接着領域２１ｄと上部接着領域２１ａ又は下部接着領域２１ｂを接続するようにしてもよい。
【００４８】
図１１では、上下方向及び左右方向にそれぞれ複数列で格子状接着領域２２ｅを形成している。ここでは、格子状接着領域２２ｅの上下左右にそれぞれ延びる接着領域の幅寸法を約２ｍｍとし、それらの接着領域によって形成される非接着領域２３ｅを一辺１０ｍｍの正方形としている。この格子状接着領域２２ｅによれば、図８の上下列接着領域２２ｂや図１０の左右列接着領域２２ｄに比べて十分な接着機能を発揮させることができる。なお、格子状接着領域２２ｅは、上下左右に延びる接着領域に限らず、格子形状全体が傾斜しているものも含まれる。
【００４９】
図１２では、上下及び左右に等間隔で複数箇所に円形の分散接着領域２２ｆを形成している。ここでは、各分散接着領域２２ｆは直径約１０ｍｍとしている。なお、分散接着領域２２ｆは、円形に限らず、四角形、三角形等、種々の形状を使用することができる。
【００５０】
図１３では、中央領域に上下方向に延びる楕円形状の広い範囲で拡大接着領域２０ｇを形成している。ここでは、拡大接着領域２０ｇは、上下方向に最大約１１０ｍｍ、左右方向に最大約４０ｍｍとなるような楕円形状としている。但し、楕円形状に限らず、矩形状等、種々の形状を採用することができる。
【００５１】
接着領域２０は全面であるのが好ましいが、このように周辺部と、その内側領域の少なくとも一部を接着領域２０とすることでも十分に接着機能を発揮させることができる。これにより、電子機器用ケースの表面に反り等の不具合が発生することを防止することが可能となる。
【産業上の利用可能性】
【００５２】
本発明は、携帯電話用としてだけでなく、タブレットコンピュータ、液晶ディスプレイ等、種々の電子機器用ケースとして利用することができる。
【符号の説明】
【００５３】
１…ケース本体（ケース部材）
２…カバー部（ケース部材）
３…接続部
４…外面シート（外側層）
５…内面シート（内側層）
６…第１ボール紙（台紙層）
７…第２ボール紙（台紙層）
８…クッション材（クッション層）
９…保持部
１０…へり返し領域
１１，１２…リング
１３…延在部
１４…シート部材
１５…鏡
１６…補助シート
１７…ベルト部
１８…雄スナップ部
１９…接着層
２０…接着領域
２１…周囲接着領域（周辺領域）
２２…内側接着領域（内側領域）
【図１】
2017174993.tif 000005
【図２】
2017174993.tif 000006
【図３】
2017174993.tif 000007
【図４】
2017174993.tif 000008
【図５】
2017174993.tif 000009
【図６】
2017174993.tif 000010
【図７】
2017174993.tif 000011
【図８】
2017174993.tif 000012
【図９】
2017174993.tif 000013
【図１０】
2017174993.tif 000014
【図１１】
2017174993.tif 000015
【図１２】
2017174993.tif 000016
【図１３】
2017174993.tif 000017